(57)【要約】【課題】目的とする無線デバイスを目視で容易に特定することが可能な無線デバイス識別システムを実現する。【解決手段】無線通信を用いて複数の無線デバイスを識別する無線デバイス識別システムにおいて、送信パケットを受信し、応答パケットを返信する複数の無線デバイスと、送信信号の出力レベルを段階的に変化させ、送信パケットをブロードキャスト送信し、応答パケットを受信し、応答パケットに添付されているデバイス識別番号と予め記憶されている出力レベル、若しくは、出力レベルの変化に連動したユニークな値であるタイミング識別番号のどちらか一方に基づき無線デバイスを識別するデバイス認識装置とを備える。【選択図】  図１
2007150638.tif 000002
【特許請求の範囲】
【請求項１】
無線通信を用いて複数の無線デバイスを識別する無線デバイス識別システムにおいて、
送信パケットを受信し、応答パケットを返信する前記複数の無線デバイスと、
送信信号の出力レベルを段階的に変化させ、前記送信パケットをブロードキャスト送信し、前記応答パケットを受信し、この応答パケットに添付されているデバイス識別番号と予め記憶されている前記出力レベル、若しくは、前記出力レベルの変化に連動したユニークな値であるタイミング識別番号のどちらか一方に基づき前記無線デバイスを識別するデバイス認識装置と
を備えたことを特徴とする無線デバイス識別システム。
【請求項２】
前記デバイス認識装置が、
前記送信信号の前記出力レベルを段階的に変化させる出力強度制御手段と、
前記無線デバイスに対して無線通信を用いて前記送信パケットを送信し、前記受信パケットを受信する無線通信手段と、
記憶手段と、
送信時には前記送信パケットを生成し、前記出力レベルを前記出力強度制御手段に設定し、前記無線通信手段を制御することにより前記送信パケットをブロードキャスト送信し、受信時には前記無線デバイスからの前記応答パケットを解析し、予め記憶されている前記出力レベル、若しくは、前記タイミング識別番号のどちらか一方と前記応答パケットに添付された前記デバイス識別番号を前記記憶手段に格納する演算制御手段とから構成されることを特徴とする
請求項１記載の無線デバイス識別システム。
【請求項３】
前記無線デバイスが、
前記デバイス認識装置からの前記送信パケットを受信し、前記デバイス識別番号を添付した前記応答パケットを返信することを特徴とする
請求項１若しくは請求項２記載の無線デバイス識別システム。
【請求項４】
無線通信を用いて複数の無線デバイスを識別する無線デバイス識別システムにおいて、
送信パケットを受信し、応答パケットを送信する前記複数の無線デバイスと、
送信信号の出力レベルを段階的に変化させ、前記送信パケットをブロードキャスト送信し、前記応答パケットを受信し、この応答パケットに添付されているタイミング識別番号、若しくは、前記出力レベルのいずれか一方とデバイス識別番号に基づき前記無線デバイスを識別するデバイス認識装置と
を備えたことを特徴とする無線デバイス識別システム。
【請求項５】
前記デバイス認識装置が、
前記送信信号の前記出力レベルを段階的に変化させる出力強度制御手段と、
前記無線デバイスに対して無線通信を用いて前記送信パケットを送信し、前記受信パケットを受信する無線通信手段と、
記憶手段と、
送信時には前記タイミング識別番号、若しくは、前記出力レベルのいずれか一方を添付した前記送信パケットを生成し、前記出力レベルを前記出力強度制御手段に設定し、前記無線通信手段を制御することにより前記送信パケットをブロードキャスト送信し、受信時には前記無線デバイスからの前記応答パケットを解析し、この応答パケットに添付された前記タイミング識別番号、若しくは、前記出力レベルのいずれか一方と前記デバイス識別番号を前記記憶手段に格納する演算制御手段とから構成されることを特徴とする
請求項４記載の無線デバイス識別システム。
【請求項６】
前記無線デバイスが、
前記デバイス認識装置からの前記送信パケットを受信し、この送信パケットに添付されている前記タイミング識別番号、若しくは、前記出力レベルのいずれか一方を抽出し、前記デバイス識別番号と共に添付して前記応答パケットを生成して返信することを特徴とする
請求項４若しくは請求項５記載の無線デバイス識別システム。
【請求項７】
無線通信を用いて複数の無線デバイスを識別する無線デバイス識別システムにおいて、
送信パケットを受信し、応答パケットを送信する前記複数の無線デバイスと、
指向性を有するアンテナと、
前記送信パケットをブロードキャスト送信し、前記応答パケットを受信し、この応答パケットに添付されているデバイス識別番号と予め記憶されている送信角度に基づき前記無線デバイスを識別するデバイス認識装置と
を備えたことを特徴とする無線デバイス識別システム。
【請求項８】
前記デバイス認識装置が、
前記無線デバイスに対して無線通信を用いて前記送信パケットを送信し、前記受信パケットを受信する無線通信手段と、
記憶手段と、
送信時には前記送信パケットを生成し、前記送信角度で送信するように前記アンテナを制御し、前記無線通信手段を制御することにより前記送信パケットをブロードキャスト送信し、受信時には前記無線デバイスからの前記応答パケットを解析し、この応答パケットに添付された前記デバイス識別番号と予め記憶されている前記送信角度を前記記憶手段に格納する演算制御手段とから構成されることを特徴とする
請求項７記載の無線デバイス識別システム。
【請求項９】
前記無線デバイスが、
前記デバイス認識装置からの前記送信パケットを受信し、前記デバイス識別番号を添付した前記応答パケットを返信することを特徴とする
請求項７若しくは請求項８記載の無線デバイス識別システム。
【請求項１０】
無線通信を用いて複数の無線デバイスを識別する無線デバイス識別システムにおいて、
送信パケットを受信し、応答パケットを送信する前記複数の無線デバイスと、
指向性を有するアンテナと、
前記送信パケットをブロードキャスト送信し、前記応答パケットを受信し、この応答パケットに添付されている送信角度とデバイス識別番号に基づき前記無線デバイスを識別するデバイス認識装置と
を備えたことを特徴とする無線デバイス識別システム。
【請求項１１】
前記デバイス認識装置が、
前記無線デバイスに対して無線通信を用いて前記送信パケットを送信し、前記受信パケットを受信する無線通信手段と、
記憶手段と、
送信時には前記送信角度を添付した前記送信パケットを生成し、前記送信角度で送信するように前記アンテナを制御し、前記無線通信手段を制御することにより前記送信パケットをブロードキャスト送信し、受信時には前記無線デバイスからの前記応答パケットを解析し、前記送信角度及び前記デバイス識別番号を前記記憶手段に格納する演算制御手段とから構成されることを特徴とする
請求項１０記載の無線デバイス識別システム。
【請求項１２】
前記無線デバイスが、
前記デバイス認識装置からの前記送信パケットを受信し、この送信パケットに添付されている前記送信角度を抽出し、前記デバイス識別番号と共に添付して前記応答パケットを生成して返信することを特徴とする
請求項１０若しくは請求項１１記載の無線デバイス識別システム。
【発明の詳細な説明】
【技術分野】
【０００１】
本発明は、無線通信手段を備えた測定器やセンサ（以下、無線デバイスと呼ぶ。）を複数設置し、無線通信を用いてこれらの無線デバイスを識別する無線デバイス識別システムに関し、特に目的とする無線デバイスを目視で容易に特定することが可能な無線デバイス識別システムに関する。
【背景技術】
【０００２】
多数隣接している測定機器やセンサのデータを取得する場合、各測定機器や各センサに有線でアクセスする方法が一般的である。例えば、自動車の駐車時に使用される道路脇に並べられたパーキングメータの保守管理においてパーキングメータ内のデータを収集する場合、保守員が個々のパーキングメータの所へ行き、有線でパーキングメータにアクセスしてデータを収集している。本発明は、このようなパーキングメータの保守管理などの用途が１つの適用事例となる。
【０００３】
従来の無線デバイス識別システムに関連する先行技術文献としては次のようなものがある。
【０００４】
【特許文献１】特開２００３−１２４８５２号公報
【０００５】
図８はこのような従来の無線デバイス識別システムの一例を示す構成ブロック図である。図８において１は無線デバイス、２は無線デバイス１を識別するための無線端末である。
【０００６】
無線デバイス１及び無線端末２は無線通信路で相互に接続される。一般的に、このような形態での無線デバイスの識別はＲＦＩＤ（Radio Frequency Identification）と呼ばれる技術が使用されている。ＲＦＩＤは予め識別用のデータを記憶させておいた数ｃｍ程度の大きさのタグを識別したい物に搭載し、無線端末でその識別用データを読み取ることにより、物を識別する技術である。
【０００７】
タグは非接触状態にてデータの読み出しや書き込みが可能なＩＣ（Integrated Circuit）を搭載し、カード型やラベル型の形状をしたものがある。近年ではアンテナコイルを内蔵し、電磁誘導を利用して電力を得るタイプのタグも登場している。また、通信距離は数ｍｍ程度のものから数ｍ程度のものがあり、用途に応じて選択する。
【０００８】
ここで、図８に示す従来例の動作を説明する。無線デバイス１には予め識別用のデータが格納されており、無線端末２を無線デバイス１の数ｍ以内に近づけてアクセスする。無線端末２から無線デバイス１にアクセスすると無線デバイス１の識別用データが無線端末２に表示される。
【０００９】
この結果、無線デバイスに近づいて無線端末からアクセスし、無線デバイスに格納された識別データを読み込むので、無線デバイスを間違うことなく、容易に無線デバイスを識別することが可能になる。
【００１０】
図９はこのような従来の無線デバイス識別システムの他の一例を示す構成ブロック図である。図９において３，４及び５は識別用ラベルの付いた無線デバイス、６は無線デバイス３、無線デバイス４及び無線デバイス５を識別するための無線端末である。
【００１１】
無線端末６と無線デバイス３、無線端末６と無線デバイス４、無線端末６と無線デバイス５は無線通信路でそれぞれ相互に接続される。
【００１２】
ここで、図９に示す従来例の動作を説明する。無線デバイス３、無線デバイス４及び無線デバイス５には各無線デバイスを識別するためのラベルがそれぞれ付けられている。無線端末６を持った人が各無線デバイスに近づくと、無線端末６は近距離にある全ての無線デバイスの情報を収集する。無線端末６には予め無線デバイスとラベルが対応したデータが格納されているので、無線端末６はアクセス可能な各無線デバイスのラベルの一覧を表示する。
【００１３】
そして、無線端末６上に表示された各無線デバイスのラベルの一覧からアクセスしたい無線デバイスを選択することにより無線端末６から無線デバイスへのアクセスを実行する。
【００１４】
この結果、各無線デバイスが数ｍ以内の近距離で設置されている場合でも、各無線デバイスにラベルを付けることにより、目視で無線デバイスを識別することが可能になり、無線デバイスを間違うことなく、容易に無線デバイスにアクセスすることが可能になる。
【００１５】
図１０はこのような従来の無線デバイス識別システムの他の一例を示す構成ブロック図である。図１０において７，８及び９は識別用ランプの付いた無線デバイス、１０は無線デバイス７、無線デバイス８及び無線デバイス９を識別するための無線端末である。
【００１６】
無線端末１０と無線デバイス７、無線端末１０と無線デバイス８、無線端末１０と無線デバイス９は無線通信路でそれぞれ相互に接続される。
【００１７】
ここで、図１０に示す従来例の動作を説明する。無線デバイス７、無線デバイス８及び無線デバイス９には各無線デバイスを識別するためのランプがそれぞれ付けられている。無線端末１０を持った人が各無線デバイスに近づくことにより、無線端末１０は電波の届く範囲にある全ての無線デバイスの情報を収集し、アクセス可能な各無線デバイスの一覧を表示する。
【００１８】
そして、無線端末１０上に表示された各無線デバイスのラベルの一覧からアクセスしたい無線デバイスを選択する。無線デバイスを選択すると、選択された無線デバイスのランプが点灯し、ランプが点灯したことによりアクセスした無線デバイスを識別する。
【００１９】
この結果、各無線デバイスが数ｍ以内の近距離で設置されている場合でも、無線端末から無線デバイスにアクセスした時に無線デバイスに取り付けられたランプが点灯することにより、目視で無線デバイスを識別することが可能になり、無線デバイスを間違うことなく、容易に無線デバイスにアクセスすることが可能になる。
【発明の開示】
【発明が解決しようとする課題】
【００２０】
しかし、図８に示す従来例では、無線端末を無線デバイスに近づけなければならないため、高所、狭所、若しくは、危険なエリアに設置された無線デバイスに対しては使用が困難であるという問題点があった。
【００２１】
また、図９に示す従来例では、無線デバイスに取り付けたラベルが見える所まで近づかなければ無線デバイスを識別できないが、ラベルは見える方向が限られているため、無線デバイスを識別する場所が特定のエリアに限定されるという問題点があった。さらに、個々の無線デバイスにラベルを取り付けるので、ラベルのコスト及びラベルを取り付ける工数がかかるという問題点があった。
【００２２】
また、図１０に示す従来例では、個々の無線デバイスにランプを取り付けるので、ランプのコスト及びランプを取り付ける工数がかかるという問題点があった。さらに、ランプを駆動する電源が必要になるため、低消費電力の無線デバイスでは使用が困難であるという問題点があった。
【００２３】
従って本発明が解決しようとする課題は、離れたところから無線で無線デバイスにアクセスし、ラベルやランプ等の表示で無線デバイスを識別するのではなく、無線通信により無線デバイスを識別する無線デバイス識別システムを実現することにある。
【課題を解決するための手段】
【００２４】
このような課題を達成するために、本発明のうち請求項１記載の発明は、
無線通信を用いて複数の無線デバイスを識別する無線デバイス識別システムにおいて、
送信パケットを受信し、応答パケットを返信する前記複数の無線デバイスと、送信信号の出力レベルを段階的に変化させ、前記送信パケットをブロードキャスト送信し、前記応答パケットを受信し、この応答パケットに添付されているデバイス識別番号と予め記憶されている前記出力レベル、若しくは、前記出力レベルの変化に連動したユニークな値であるタイミング識別番号のどちらか一方に基づき前記無線デバイスを識別するデバイス認識装置とを備えたことにより、離れたところから無線で無線デバイスにアクセスし、ラベルやランプ等の表示で無線デバイスを識別するのではなく、無線通信により無線デバイスを識別することが可能になる。
【００２５】
請求項２記載の発明は、
請求項１記載の発明である無線デバイス識別システムにおいて、
前記デバイス認識装置が、
前記送信信号の前記出力レベルを段階的に変化させる出力強度制御手段と、前記無線デバイスに対して無線通信を用いて前記送信パケットを送信し、前記受信パケットを受信する無線通信手段と、記憶手段と、送信時には前記送信パケットを生成し、前記出力レベルを前記出力強度制御手段に設定し、前記無線通信手段を制御することにより前記送信パケットをブロードキャスト送信し、受信時には前記無線デバイスからの前記応答パケットを解析し、予め記憶されている前記出力レベル、若しくは、前記タイミング識別番号のどちらか一方と前記応答パケットに添付された前記デバイス識別番号を前記記憶手段に格納する演算制御手段とから構成されることにより、離れたところから無線で無線デバイスにアクセスし、ラベルやランプ等の表示で無線デバイスを識別するのではなく、無線通信により無線デバイスを識別することが可能になる。
【００２６】
請求項３記載の発明は、
請求項１若しくは請求項２記載の発明である無線デバイス識別システムにおいて、
前記無線デバイスが、
前記デバイス認識装置からの前記送信パケットを受信し、前記デバイス識別番号を添付した前記応答パケットを返信することにより、離れたところから無線で無線デバイスにアクセスし、ラベルやランプ等の表示で無線デバイスを識別するのではなく、無線通信により無線デバイスを識別することが可能になる。
【００２７】
請求項４記載の発明は、
無線通信を用いて複数の無線デバイスを識別する無線デバイス識別システムにおいて、
送信パケットを受信し、応答パケットを送信する前記複数の無線デバイスと、送信信号の出力レベルを段階的に変化させ、前記送信パケットをブロードキャスト送信し、前記応答パケットを受信し、この応答パケットに添付されているタイミング識別番号、若しくは、前記出力レベルのいずれか一方とデバイス識別番号に基づき前記無線デバイスを識別するデバイス認識装置とを備えたことにより、離れたところから無線で無線デバイスにアクセスし、ラベルやランプ等の表示で無線デバイスを識別するのではなく、無線通信により無線デバイスを識別することが可能になる。
【００２８】
請求項５記載の発明は、
請求項４記載の発明である無線デバイス識別システムにおいて、
前記デバイス認識装置が、
前記送信信号の前記出力レベルを段階的に変化させる出力強度制御手段と、前記無線デバイスに対して無線通信を用いて前記送信パケットを送信し、前記受信パケットを受信する無線通信手段と、記憶手段と、送信時には前記タイミング識別番号、若しくは、前記出力レベルのいずれか一方を添付した前記送信パケットを生成し、前記出力レベルを前記出力強度制御手段に設定し、前記無線通信手段を制御することにより前記送信パケットをブロードキャスト送信し、受信時には前記無線デバイスからの前記応答パケットを解析し、この応答パケットに添付された前記タイミング識別番号、若しくは、前記出力レベルのいずれか一方と前記デバイス識別番号を前記記憶手段に格納する演算制御手段とから構成されることにより、離れたところから無線で無線デバイスにアクセスし、ラベルやランプ等の表示で無線デバイスを識別するのではなく、無線通信により無線デバイスを識別することが可能になる。
【００２９】
請求項６記載の発明は、
請求項４若しくは請求項５記載の発明である無線デバイス識別システムにおいて、
前記無線デバイスが、
前記デバイス認識装置からの前記送信パケットを受信し、この送信パケットに添付されている前記タイミング識別番号、若しくは、前記出力レベルのいずれか一方を抽出し、前記デバイス識別番号と共に添付して前記応答パケットを生成して返信することにより、離れたところから無線で無線デバイスにアクセスし、ラベルやランプ等の表示で無線デバイスを識別するのではなく、無線通信により無線デバイスを識別することが可能になる。
【００３０】
請求項７記載の発明は、
無線通信を用いて複数の無線デバイスを識別する無線デバイス識別システムにおいて、
送信パケットを受信し、応答パケットを送信する前記複数の無線デバイスと、指向性を有するアンテナと、前記送信パケットをブロードキャスト送信し、前記応答パケットを受信し、この応答パケットに添付されているデバイス識別番号と予め記憶されている送信角度に基づき前記無線デバイスを識別するデバイス認識装置とを備えたことにより、離れたところから無線で無線デバイスにアクセスし、ラベルやランプ等の表示で無線デバイスを識別するのではなく、無線通信により無線デバイスを識別することが可能になる。
【００３１】
請求項８記載の発明は、
請求項７記載の発明である無線デバイス識別システムにおいて、
前記デバイス認識装置が、前記無線デバイスに対して無線通信を用いて前記送信パケットを送信し、前記受信パケットを受信する無線通信手段と、記憶手段と、送信時には前記送信パケットを生成し、前記送信角度で送信するように前記アンテナを制御し、前記無線通信手段を制御することにより前記送信パケットをブロードキャスト送信し、受信時には前記無線デバイスからの前記応答パケットを解析し、この応答パケットに添付された前記デバイス識別番号と予め記憶されている前記送信角度を前記記憶手段に格納する演算制御手段とから構成されることにより、離れたところから無線で無線デバイスにアクセスし、ラベルやランプ等の表示で無線デバイスを識別するのではなく、無線通信により無線デバイスを識別することが可能になる。
【００３２】
請求項９記載の発明は、
請求項７若しくは請求項８記載の発明である無線デバイス識別システムにおいて、
前記無線デバイスが、
前記デバイス認識装置からの前記送信パケットを受信し、前記デバイス識別番号を添付した前記応答パケットを返信することにより、離れたところから無線で無線デバイスにアクセスし、ラベルやランプ等の表示で無線デバイスを識別するのではなく、無線通信により無線デバイスを識別することが可能になる。
【００３３】
請求項１０記載の発明は、
無線通信を用いて複数の無線デバイスを識別する無線デバイス識別システムにおいて、
送信パケットを受信し、応答パケットを送信する前記複数の無線デバイスと、指向性を有するアンテナと、前記送信パケットをブロードキャスト送信し、前記応答パケットを受信し、この応答パケットに添付されている送信角度とデバイス識別番号に基づき前記無線デバイスを識別するデバイス認識装置とを備えたことにより、離れたところから無線で無線デバイスにアクセスし、ラベルやランプ等の表示で無線デバイスを識別するのではなく、無線通信により無線デバイスを識別することが可能になる。
【００３４】
請求項１１記載の発明は、
請求項１０記載の発明である無線デバイス識別システムにおいて、
前記デバイス認識装置が、
前記無線デバイスに対して無線通信を用いて前記送信パケットを送信し、前記受信パケットを受信する無線通信手段と、記憶手段と、送信時には前記送信角度を添付した前記送信パケットを生成し、前記送信角度で送信するように前記アンテナを制御し、前記無線通信手段を制御することにより前記送信パケットをブロードキャスト送信し、受信時には前記無線デバイスからの前記応答パケットを解析し、前記送信角度及び前記デバイス識別番号を前記記憶手段に格納する演算制御手段とから構成されることにより、離れたところから無線で無線デバイスにアクセスし、ラベルやランプ等の表示で無線デバイスを識別するのではなく、無線通信により無線デバイスを識別することが可能になる。
【００３５】
請求項１２記載の発明は、
請求項１０若しくは請求項１１記載の発明である無線デバイス識別システムにおいて、
前記無線デバイスが、
前記デバイス認識装置からの前記送信パケットを受信し、この送信パケットに添付されている前記送信角度を抽出し、前記デバイス識別番号と共に添付して前記応答パケットを生成して返信することにより、離れたところから無線で無線デバイスにアクセスし、ラベルやランプ等の表示で無線デバイスを識別するのではなく、無線通信により無線デバイスを識別することが可能になる。
【発明の効果】
【００３６】
本発明によれば次のような効果がある。
請求項１，２及び請求項３の発明によれば、デバイス認識装置が送信信号の出力レベルを段階的に変化させ、送信パケットをブロードキャスト送信し、無線デバイスからの応答パケットを受信し、応答パケットに添付されているデバイス識別番号と予め記憶されている出力レベル、若しくは、タイミング識別番号のどちらか一方に基づき、デバイス識別番号と出力レベル、若しくは、デバイス識別番号とタイミング識別番号が対応付けされているので、離れたところから無線で無線デバイスにアクセスし、ラベルやランプ等の表示で無線デバイスを識別するのではなく、無線通信により無線デバイスを識別することが可能になる。
【００３７】
請求項４，５及び請求項６の発明によれば、デバイス認識装置が送信信号の出力レベルを段階的に変化させ、送信パケットをブロードキャスト送信し、無線デバイスからの応答パケットを受信し、応答パケットに添付されているタイミング識別番号、若しくは、出力レベルのいずれか一方とデバイス識別番号を解析することにより、タイミング識別番号とデバイス識別番号、若しくは、出力レベルとデバイス識別番号が対応付けされているので、離れたところから無線で無線デバイスにアクセスし、ラベルやランプ等の表示で無線デバイスを識別するのではなく、無線通信により無線デバイスを識別することが可能になる。
【００３８】
請求項７，８及び請求項９の発明によれば、デバイス認識装置がアンテナの送信角度を段階的に変化させ、送信パケットをブロードキャスト送信し、無線デバイスからの応答パケットを受信し、応答パケットに添付されているデバイス識別番号と予め記憶されている送信角度に基づき、送信角度とデバイス識別番号が対応付けされているので、同一距離に無線デバイスが複数ある場合でも離れたところから無線で無線デバイスにアクセスし、ラベルやランプ等の表示で無線デバイスを識別するのではなく、無線通信により無線デバイスを識別することが可能になる。
【００３９】
請求項１０，１１及び請求項１２の発明によれば、デバイス認識装置がアンテナの送信角度を段階的に変化させ、送信パケットをブロードキャスト送信し、無線デバイスからの応答パケットを受信し、応答パケットに添付されている送信角度とデバイス識別番号を解析することにより、送信角度とデバイス識別番号が対応付けされているので、同一距離に無線デバイスが複数ある場合でも離れたところから無線で無線デバイスにアクセスし、ラベルやランプ等の表示で無線デバイスを識別するのではなく、無線通信により無線デバイスを識別することが可能になる。
【発明を実施するための最良の形態】
【００４０】
以下本発明を図面を用いて詳細に説明する。図１は本発明に係る無線デバイス識別システムの一実施例を示す構成ブロック図である。図１において１１，１２，１３，１４及び１５は無線でパケットの送受信を行う無線デバイス、１６は無線で無線デバイスを識別するデバイス認識装置である。
【００４１】
デバイス認識装置１６と無線デバイス１１、デバイス認識装置１６と無線デバイス１２、デバイス認識装置１６と無線デバイス１３、デバイス認識装置１６と無線デバイス１４、デバイス認識装置１６と無線デバイス１５は無線通信路でそれぞれ相互に接続される。
【００４２】
ここで、図１に示す実施例の動作を図２、図３及び図４を用いて説明する。図２はデバイス認識装置の機能構造を示す構成ブロック図、図３はデバイス認識装置の動作を説明するフローチャート、図４はデバイス認識装置の記憶手段に格納されるデータの説明図である。
【００４３】
図２において１６は図１と同一符号を付してあり、１７は送信信号の出力レベルの設定及び送信パケットの生成を行う送信信号生成機能、１８は送信信号生成機能１７で設定された送信信号の出力レベルを調節する出力強度制御手段、１９は送信信号生成機能１７で生成した送信パケットを出力強度制御手段１８で調節した出力レベルで送信し、無線デバイスからの応答パケットを受信する無線通信手段、２０はデバイスからの応答パケットを解析する受信データ解析機能、２１は受信データ解析機能２０で解析したデータを格納する記憶手段である。
【００４４】
また、送信信号生成機能１７及び受信データ解析機能２０は演算制御手段１００を構成している。さらに、送信信号生成機能１７、出力強度制御機能１８、無線通信手段１９、受信データ解析機能２０及び記憶手段２１はデバイス認識装置１６を構成している。
【００４５】
送信信号生成機能１７は出力強度制御手段１８及び無線通信手段１９にそれぞれ接続され、出力強度制御手段１８は無線通信手段１９に接続される。無線通信手段１９は受信データ解析機能２０に接続され、受信データ解析機能２０は記憶手段２１に接続される。また、無線通信手段１９と無線デバイス（図示せず）は無線通信路で相互に接続される。
【００４６】
図３中”Ｓ００１”において演算制御手段１００の送信信号生成機能１７は、無線通信手段１９から送信される送信信号の出力レベルを最小にするように出力強度制御手段１８を設定し、タイミング識別番号”ＴＭ−ＩＤ”を”１”に設定する。タイミング識別番号”ＴＭ−ＩＤ”はデバイス認識装置１６から送信されるパケット毎に付けられる番号である。
【００４７】
図３中”Ｓ００２”において演算制御手段１００の送信信号生成機能１７は、タイミング識別番号”ＴＭ−ＩＤ”を送信パケットに添付する。図３中”Ｓ００３”において演算制御手段１００の送信信号生成機能１７は、無線通信手段１９を制御して各無線デバイスに対してタイミング識別番号”ＴＭ−ＩＤ”が添付された送信パケットをブロードキャストする。
【００４８】
各無線デバイスは送信パケットを受信すると、送信パケットに添付されているタイミング識別番号”ＴＭ−ＩＤ”を抽出する。そして、このタイミング識別番号”ＴＭ−ＩＤ”と無線デバイス固有のデバイス識別番号”ＤＥＶ−ＩＤ”が添付された応答パケット生成し、この応答パケットをデバイス認識装置１６へ返信する。
【００４９】
図３中”Ｓ００４”において演算制御手段１００の受信データ解析機能２０は、無線デバイスからの応答パケットを無線通信手段１９を経由して受信したか否かを判断し、もし、無線デバイスからの応答パケットを受信していない場合には、図３中”Ｓ００８”に示すステップにジャンプし、無線デバイスからの応答パケットを受信した場合には、図３中”Ｓ００５”において演算制御手段１００の受信データ解析機能２０は、受信した応答パケットに添付されているデバイス識別番号”ＤＥＶ−ＩＤ”が初めて受信した番号か否かを判断する。
【００５０】
もし、受信した応答パケットに添付されているデバイス識別番号”ＤＥＶ−ＩＤ”が初めて受信した番号でない場合、すなわち、以前にも受信した番号である場合には、図３中”Ｓ００７”に示すステップにジャンプし、受信した応答パケットに添付されているデバイス識別番号”ＤＥＶ−ＩＤ”が初めて受信した番号である場合には、図３中”Ｓ００６”において演算制御手段１００の受信データ解析機能２０は、タイミング識別番号”ＴＭ−ＩＤ”、出力レベル及びデバイス識別番号”ＤＥＶ−ＩＤ”を記憶手段２１に格納する。
【００５１】
記憶手段２１に格納するデータは図４に示すようにタイミング識別番号”ＴＭ−ＩＤ”、出力レベル及びデバイス識別番号”ＤＥＶ−ＩＤ”が対応付けされたものである。例えば、出力レベル”０．１ｍＷ”の時はタイミング識別番号が”１”で応答のあった無線デバイスのデバイス識別番号は”２３”であると分かる。
【００５２】
図３中”Ｓ００７”において演算制御手段１００の受信データ解析機能２０は、他の無線デバイスからの応答パケットを受信したか否かを判断し、もし、他の無線デバイスからの応答パケットを受信している場合には、図３中”Ｓ００５”に示すステップにジャンプし、他の無線デバイスからの応答パケットを受信していない場合には、図３中”Ｓ００８”において演算制御手段１００の送信信号生成機能１７は、無線通信手段１９から送信される送信信号の出力レベルを１段階上げるように出力強度制御手段１８を設定し、タイミング識別番号”ＴＭ−ＩＤ”を”＋１”する。
【００５３】
そして、図３中”Ｓ００９”において演算制御手段１００の送信信号生成機能１７は、無線通信手段１９から送信する送信信号の出力レベルが最大値を超えているか否かを判断し、もし、無線通信手段１９から送信する送信信号の出力レベルが最大値を超えている場合には、シーケンスを終了し、無線通信手段１９から送信する送信信号の出力レベルが最大値を超えていない場合には、図３中”Ｓ００２”に示すステップにジャンプする。
【００５４】
演算制御手段１００の受信データ解析機能２０は各無線デバイスから受信し、記憶手段２１に格納しておいたデータを受信した順番にソートする。そして、最初に受信した無線デバイスをもっとも近い所にあるものとみなし、最後に受信した無線デバイスをもっとも遠い所にあるものとみなす。
【００５５】
この結果、デバイス認識装置から各無線デバイスに対して送信信号の出力レベルを徐々に上げ、出力レベルを上げる毎にインクリメントされたタイミング識別番号”ＴＭ−ＩＤ”を添付した送信パケットを送信し、この送信パケットを受信した無線デバイスがデバイス識別番号”ＤＥＶ−ＩＤ”とタイミング識別番号”ＴＭ−ＩＤ”を応答パケットに添付してデバイス認識装置に送信することにより、応答した時の出力レベルが低いほど、その無線デバイスは近くにあり、応答した時の出力レベルが高いほど、その無線デバイスは遠くにあることになるので、離れたところから無線で無線デバイスにアクセスし、ラベルやランプ等の表示で無線デバイスを識別するのではなく、無線通信により無線デバイスを識別することが可能になる。
【００５６】
図５は本発明に係る無線デバイス識別システムの他の実施例を示す構成ブロック図である。図５において２２，２３，２４，２５及び２６は無線でパケットの送受信を行う無線デバイス、２７は無線で無線デバイスを識別するデバイス認識装置、２８は指向性を有するアンテナ、２９はアンテナ２８を回転するためのモータ等のアンテナ回転手段である。
【００５７】
デバイス認識装置２７はアンテナ２８及びアンテナ回転手段２９にそれぞれ接続され、アンテナ２８はアンテナ回転手段２９に固定されている。また、デバイス認識装置２７と無線デバイス２２、デバイス認識装置２７と無線デバイス２３、デバイス認識装置２７と無線デバイス２４、デバイス認識装置２７と無線デバイス２５、デバイス認識装置２７と無線デバイス２６は無線通信路及びアンテナ２８を介してそれぞれ相互に接続される。
【００５８】
ここで、図５に示す他の実施例の動作を図６及び図７を用いて説明する。図６はデバイス認識装置２７の機能構造を示す構成ブロック図、図７はデバイス認識装置２７の動作を説明するフローチャートである。図５に示す他の実施例では、図１に示す実施例においてデバイス認識装置からほぼ同一距離に複数の無線デバイスが存在する時の識別装置について説明する。
【００５９】
図６において２７，２８及び２９は図５と同一符号を付してあり、３０はアンテナ回転手段２９の制御及び送信パケットの生成を行う送信信号生成機能、３１は送信信号生成機能３０で生成した送信パケットを送信し、無線デバイスからの応答パケットを受信する無線通信手段、３２はデバイスからの応答パケットを解析する受信データ解析機能、３３は受信データ解析機能３２で解析したデータを格納する記憶手段である。
【００６０】
また、送信信号生成機能３０及び受信データ解析機能３２は演算制御手段１０１を構成している。さらに、送信信号生成機能３０、無線通信手段３１、受信データ解析機能３２及び記憶手段３３はデバイス認識装置２７を構成している。
【００６１】
送信信号生成機能３０はアンテナ回転手段２９及び無線通信手段３１にそれぞれ接続され、無線通信手段３１はアンテナ２８及び受信データ解析機能３２にそれぞれ接続される。受信データ解析機能３２は記憶手段３３に接続される。
【００６２】
図７中”Ｓ１０１”において演算制御手段１０１の送信信号生成機能３０は、パケットを送信するアンテナ２８の角度が０°になるようにアンテナ回転手段２９を初期化し、その角度を”ＤＳ”とする。また、図７中”Ｓ１０２”において演算制御手段１０１の送信信号生成機能３０は、出力レベル”ＰＯ”を設定する。送信信号の出力レベル”ＰＯ”は図１に示す実施例においてデバイス認識装置からほぼ同一距離に複数の無線デバイスが存在する時の出力レベルを用いる。
【００６３】
図７中”Ｓ１０３”において演算制御手段１０１の送信信号生成機能３０は、送信パケットを無線デバイスに対してブロードキャスト送信するように無線通信手段３１を制御する。この時、演算制御手段１０１の送信信号生成機能３０は、送信角度”ＤＳ”を記憶しておく。
【００６４】
図７中”Ｓ１０４”において演算制御手段１０１の受信データ解析機能３２は、無線デバイスからの応答パケットを受信したか否かを判断し、もし、無線デバイスからの応答パケットを受信していない場合には、図７中”Ｓ１０６”に示すステップにジャンプし、無線デバイスからの応答パケットを受信している場合には、図７中”Ｓ１０５”において演算制御手段１０１の受信データ解析機能３２は、送信パケットを送信した時の送信角度”ＤＳ”と受信した応答パケットに添付されているデバイス識別番号”ＤＥＶ−ＩＤ”を記憶手段３３に格納する。
【００６５】
そして、図７中”Ｓ１０６”において演算制御手段１０１の受信データ解析機能３２は、各無線デバイスからの全ての応答パケットを受信したか否かを判断し、もし、各無線デバイスからの全ての応答パケットを受信していない場合には、図７中”Ｓ１０５”に示すステップにジャンプし、各無線デバイスからの全ての応答パケットを受信している場合には、図７中”Ｓ１０７”において演算制御手段１０１の送信信号生成機能３０は、アンテナ２８の送信角度が”３６０°”回転したか否かを判断する。
【００６６】
もし、アンテナ２８の送信角度が”３６０°”回転した場合には、シーケンスを終了し、アンテナ２８の送信角度が”３６０°”回転していない場合には、図７中”Ｓ１０８”において演算制御手段１０１の送信信号生成機能３０は、アンテナ２８の送信角度”ＤＳ”を”Δｄ”変化させるようにアンテナ回転手段２９を制御し、図７中”Ｓ１０３”に示すステップにジャンプする。
【００６７】
図７に示すシーケンス終了後、デバイス認識装置２７内の記憶手段に格納されているデバイス識別番号”ＤＥＶ−ＩＤ”及び送信角度”ＤＳ”を用いて、ある無線デバイスから応答があった最初の角度”ＤＳＦ”と最後の角度”ＤＳＬ”の中間の角度”ＤＳＭ”を計算する。各無線デバイスの中間の角度”ＤＳＭ”を角度毎に並べ、角度別に無線デバイスを順序付けする。
【００６８】
この結果、デバイス認識装置からほぼ同一距離にある複数の無線デバイスに対して送信角度を変化させ、送信パケットをブロードキャストし、無線デバイスからの応答パケットを解析することで無線デバイスを識別するので、離れたところから無線で無線デバイスにアクセスし、ラベルやランプ等の表示で無線デバイスを識別するのではなく、無線通信により無線デバイスを識別することが可能になる。
【００６９】
なお、図１に示す実施例では送信パケットにタイミング識別番号”ＴＭ−ＩＤ”を添付して送信していたが、送信パケットに何も添付しないで送信してもよい。この場合、送信パケットを送信した時の出力レベル、若しくは、出力レベルの変化に連動したユニークな値であるタイミング識別番号”ＴＭ−ＩＤ”を予め記憶しておく。そして、応答パケットに添付されているデバイス識別番号”ＤＥＶ−ＩＤ”と予め記憶されている出力レベル、若しくは、タイミング識別番号”ＴＭ−ＩＤ”のどちらか一方を記憶手段に格納する。
【００７０】
また、図１に示す実施例では記憶手段にタイミング識別番号”ＴＭ−ＩＤ”、出力レベル及びデバイス識別番号”ＤＥＶ−ＩＤ”の３つのデータを格納していたが、タイミング識別番号”ＴＭ−ＩＤ”及びデバイス識別番号”ＤＥＶ−ＩＤ”の２つのデータのみを格納してもよい。
【００７１】
この場合、タイミング識別番号”ＴＭ−ＩＤ”は出力レベルの変化に連動したユニークな値である必要がある。例えば、出力レベルが”０．１ｍＷ”の時はタイミング識別番号は”１”、出力レベルが”０．２ｍＷ”の時はタイミング識別番号は”２”、出力レベルが”０．３ｍＷ”の時はタイミング識別番号は”３”というように出力レベルが上がるとタイミング識別番号も上がるようにする。
【００７２】
そして、タイミング識別番号の小さい順で並べ替えることにより、出力レベルが低い順で並ぶことになるので、タイミング識別番号が小さいほど、その無線デバイスは近くにあり、タイミング識別番号が大きいほど、その無線デバイスは遠くにあることになる。
【００７３】
一方、出力レベルが”０．１ｍＷ”の時はタイミング識別番号は”１００”、出力レベルが”０．２ｍＷ”の時はタイミング識別番号は”９９”、出力レベルが”０．３ｍＷ”の時はタイミング識別番号は”９８”というように出力レベルが上がるとタイミング識別番号が下がるようにしてもよい。
【００７４】
そして、タイミング識別番号の大きい順で並べ替えることにより、出力レベルが低い順で並ぶことになるので、タイミング識別番号が大きいほど、その無線デバイスは近くにあり、タイミング識別番号が小さいほど、その無線デバイスは遠くにあることになる。
【００７５】
また、図１に示す実施例では無線デバイスにブロードキャスト送信する送信パケットにタイミング識別番号”ＴＭ−ＩＤ”を添付して、各無線デバイスからの応答パケットにこのタイミング識別番号”ＴＭ−ＩＤ”とデバイス識別番号”ＤＥＶ−ＩＤ”を添付したが、送信パケットに出力レベルを添付し、応答パケットに出力レベルとデバイス識別番号”ＤＥＶ−ＩＤ”を添付してもよい。
【００７６】
この場合、記憶手段に格納されるのは出力レベル及びデバイス識別番号”ＤＥＶ−ＩＤ”の２つのデータのみとなる。そして、出力レベルの低い順で並べ替えることにより、その無線デバイスは近くにあり、出力レベルが高いほど、その無線デバイスは遠くにあることになる。
【００７７】
また、図１に示す実施例では無線デバイスに送信パケットをブロードキャスト送信してから応答パケットを受信したかの確認をしているが、出力レベルが最大値になるまで出力レベルを変化させながら全ての送信パケットを最初に送信し、各無線デバイスからの応答パケットの確認は全ての送信パケットを送信した後に行ってもよい。この場合、出力レベル毎に応答パケットを確認する必要がないので、比較的短時間で無線デバイスを識別することが可能になる。
【００７８】
この結果、デバイス認識装置から各無線デバイスに対して出力レベルの変化に連動したユニークな値であるタイミング識別番号”ＴＭ−ＩＤ”、若しくは、出力レベルを添付した送信パケットを送信し、全ての出力レベルでの送信パケットを送信し終わった後に、タイミング識別番号”ＴＭ−ＩＤ”、若しくは、出力レベルとデバイス識別番号”ＤＥＶ−ＩＤ”が添付された応答パケットを確認することにより、離れたところから無線で無線デバイスにアクセスし、ラベルやランプ等の表示で無線デバイスを識別するのではなく、無線通信により比較的短時間で無線デバイスを識別することが可能になる。
【００７９】
また、図５に示す実施例では送信パケットに何も添付せずに送信していたが、送信パケットに送信角度”ＤＳ”を添付して送信してもよい。この場合、応答パケットには送信角度”ＤＳ”及びデバイス識別番号”ＤＥＶ−ＩＤ”が添付されるので、デバイス認識装置で送信角度”ＤＳ”を記憶しておく必要はなく、応答パケットに添付されてきた送信角度”ＤＳ”及びデバイス識別番号”ＤＥＶ−ＩＤ”を記憶手段に格納する。
【００８０】
また、図５に示す実施例では無線デバイスに送信パケットをブロードキャスト送信してから応答パケットを受信したかの確認をしているが、送信角度が”３６０°”になるまで全ての送信パケットを最初に送信し、各無線デバイスからの応答パケットの確認は全ての送信パケットを送信した後に行ってもよい。この場合、送信角度毎に応答パケットを確認する必要がないので、比較的短時間で無線デバイスを識別することが可能になる。
【００８１】
この結果、デバイス認識装置からほぼ同一距離にある複数の無線デバイスに対して送信角度が”３６０°”になるまで全ての送信パケットをブロードキャストし、その後、無線デバイスからの応答パケットを解析することにより、離れたところから無線で無線デバイスにアクセスし、ラベルやランプ等の表示で無線デバイスを識別するのではなく、無線通信により比較的短時間で無線デバイスを識別することが可能になる。
【００８２】
また、図１に示す実施例の距離毎の無線デバイス識別システムと図５に示す実施例の角度毎の無線デバイス識別システムを組み合わせることで、同一距離、若しくは、同一角度に存在する無線デバイスを区別し、無線デバイスの位置のマップを作成してもよい。
【００８３】
また、保守等の用途で無線デバイスをカメラで撮像している場合、図１に示す実施例の距離毎の無線デバイス識別システムと図５に示す実施例の角度毎の無線デバイス識別システムを組み合わせ、これらの無線デバイス識別システムから求められる無線デバイスの位置情報と角度情報を無線デバイスを撮像しているカメラの映像上にオーバーレイすることで、実際の無線デバイスのデバイス識別番号”ＤＥＶ−ＩＤ”を視覚的に特定してもよい。
【００８４】
また、図５に示す実施例では指向性を有するアンテナを使用し、アンテナ回転手段を用いてアンテナを回転させたが、フェーズドアレイアンテナを使用してアンテナを回転させることなく、無線デバイスとのパケットの送受信を行ってもよい。
【００８５】
この結果、距離毎の無線デバイス識別システムと角度毎の無線デバイス識別システムを組み合わせ、無線デバイスの位置のマップを作成し、無線デバイスを撮像しているカメラの映像上にオーバーレイすることにより、離れたところから無線で無線デバイスにアクセスし、ラベルやランプ等の表示で無線デバイスを識別するのではなく、無線通信により無線デバイスを識別することが可能になる。
【図面の簡単な説明】
【００８６】
【図１】本発明に係る無線デバイス識別システムの一実施例を示す構成ブロック図である。
【図２】デバイス認識装置の機能構造を示す構成ブロック図である。
【図３】デバイス認識装置の動作を説明するフローチャートである。
【図４】デバイス認識装置の記憶手段に格納されるデータの説明図である。
【図５】本発明に係る無線デバイス識別システムの他の実施例を示す構成ブロック図である。
【図６】デバイス認識装置の機能構造を示す構成ブロック図である。
【図７】デバイス認識装置の動作を説明するフローチャートである。
【図８】従来の無線デバイス識別システムの一例を示す構成ブロック図である。
【図９】従来の無線デバイス識別システムの他の一例を示す構成ブロック図である。
【図１０】従来の無線デバイス識別システムの他の一例を示す構成ブロック図である。
【符号の説明】
【００８７】
１，３，４，５，７，８，９，１１，１２，１３，１４，１５，２２，２３，２４，２５，２６  無線デバイス
２，６，１０  無線端末
１６，２７  デバイス認識装置
１７，３０  送信信号生成機能
１８  出力強度制御手段
１９，３１  無線通信手段
２０，３２  受信データ解析機能
２１，３３  記憶手段
２８  アンテナ
２９  アンテナ回転手段
１００  演算制御手段
【図１】
2007150638.tif 000003
【図２】
2007150638.tif 000004
【図３】
2007150638.tif 000005
【図４】
2007150638.tif 000006
【図５】
2007150638.tif 000007
【図６】
2007150638.tif 000008
【図７】
2007150638.tif 000009
【図８】
2007150638.tif 000010
【図９】
2007150638.tif 000011
【図１０】
2007150638.tif 000012